(57)【要約】【課題】本発明は、噴射孔から飛翔し、記録紙などの被記録媒体上に着弾する液体噴射用液体であって、液体中の気泡の発生を防ぎ、液体噴射ヘッドへの充填性が高い水性液体噴射用液体の提供を目的とする。【解決手段】液体噴射用液体において、着色剤と、水と、水溶性有機溶剤と、酸化防止剤を包接するサイクロデキストリンとを含み、剪断速度が１０００００（１／ｓ）における粘度が２５℃の時に３〜５０ｍＰａ・ｓである、という特徴を採用する。【選択図】図１
2015059183.tif 000002
【特許請求の範囲】
【請求項１】
着色剤と、水と、水溶性有機溶剤と、酸化防止剤を包接するサイクロデキストリンとを含み、剪断速度が１０００００（１／ｓ）における粘度が２５℃の時に３〜５０ｍＰａ・ｓであることを特徴とする液体噴射用液体。
【請求項２】
前記酸化防止剤が、液体噴射用液体全量に対して、０．１〜５重量％であることを特徴とする請求項１に記載の液体噴射用液体。
【請求項３】
前記酸化防止剤が、カテキン誘導体、アスコルビン酸誘導体、エリソルビン酸誘導体、コウジ酸誘導体、クロロゲン酸誘導体、没食子酸誘導体、フラボン誘導体、α−トコフェロール、α−リポ酸、ジブチルヒドロキシトルエン、ブチルヒドロキシアニソール、亜硫酸塩類、チオ硫酸塩類、ピロ亜硫酸塩類、ローズマリー抽出物、から選択されることを特徴とする請求項１または２に記載の液体噴射用液体。
【請求項４】
脱気処理後の液体中の溶存酸素濃度が２ｍｇ／Ｌ以下であることを特徴とする請求項１〜３のいずれか一項に記載の液体噴射用液体。
【請求項５】
請求項１〜４のいずれか一項に記載の液体噴射用液体を使用する液体噴射ヘッドであって、
圧電素子によって形成されたアクチュエータープレートと、前記アクチュエータープレートに液体を供給する液体室が形成された液体室プレートとを有することを特徴とする液体噴射ヘッド。
【請求項６】
請求項５に記載の液体噴射ヘッドを有する液体噴射記録装置であって、
被記録媒体を搬送する一対の搬送手段と、前記液体噴射ヘッドに液体噴射用液体を供給する液体供給手段と、
前記液体噴射ヘッドを被記録媒体の搬送方向と略直交する方向に走査させる走査手段とを備えることを特徴とする液体噴射記録装置。
【発明の詳細な説明】
【技術分野】
【０００１】
本発明は、噴射孔から飛翔し、記録紙などの被記録媒体上に着弾する液体噴射用液体であって、液体中の気泡の発生を防ぎ、液体噴射ヘッドへの充填性が高い水性液体噴射用液体、その液体を用いた液体噴射ヘッド及び液体噴射記録装置に関する。
【背景技術】
【０００２】
近年の液体噴射記録（インクジェット記録）方式は、印刷版を用意する必要のある印刷方式と異なり、一台の機械で様々なパターンを印字できることから、例えば梱包剤やポスター、車体のラッピングなど幅広い分野での利用が可能なものである。
【０００３】
従来、液体噴射記録方式としてはコンティニュアスタイプとオンデマンドタイプの２つの方式に大別することができる。コンティニュアスタイプは、例えば、液体噴射用液体（インク）を粒子状にして噴射し、帯電させた液体噴射用液体粒子の進行経路に電界を形成することにより、液体噴射用液体粒子を偏向させて対象物に記録することができるものなどが挙げられる。また、オンデマンドタイプは、例えば、液体噴射ヘッド（インクジェットヘッド）の噴射孔（ノズル）から画像に応じて液体噴射用液体を吐出させて、紙、フィルム、布帛等の被記録媒体に印字を行うものなどが挙げられる。
【０００４】
さらに、近年では省エネルギー、省資源への取り組みに関連して、液体噴射用液体に使用する材料についても脱石油資源化への取り組みが広がりつつあると共に、印刷時にかかるエネルギーの削減への取り組みも盛んになりつつある。
【０００５】
これらの液体噴射記録の長所としては、直接記録であるためにプロセスが簡単であることに加えて、インパクト方式ではないために無騒音である、カラー化が容易である、高速記録が可能である、普通紙が使用できるため低ランニングコストである、微小液体噴射用液滴を吐出させるために高解像度の記録が可能である等の優れた特徴が挙げられる（特許文献１）。
【０００６】
インクをインクジェットヘッドに充填する際、インク中の溶存気体成分から気泡が発生し、流路内に気泡が残留する場合がある。このような気泡はヘッドに与えられた圧力を減衰させ、結果的に吐出不良を招く可能性がある。
【０００７】
特に、一般的に表面張力が高い水性インクは、インク流路の壁面に対する濡れ性が悪く、一旦生じた気泡を剥離しにくいことから、あらかじめ脱気手段を用いて十分に溶存酸素量を低下させる技術が提案されている（特許文献２〜３）。
【０００８】
酸化防止剤は自身が酸素を吸収することで、溶液全体の酸化を防ぐ効能を持ち、食品や医薬品などをはじめ、産業分野で幅広く使用されている。インクジェットの分野においても、インクの酸化を防ぎ、ヘッド部材の腐食を防止したり、高精細な印字物を得る目的で、これを添加する技術が提案されている（特許文献４〜５）。また、酸化防止剤が酸素吸収能を持つことに着目し、筆記具の分野では気泡除去の目的でインク中あるいはインク容器に、これを添加する技術が提案されている（特許文献６〜８）。
【先行技術文献】
【特許文献】
【０００９】
【特許文献１】特開平５−０６５４４３号公報
【特許文献２】特開２００４−８３６２１号公報
【特許文献３】特開２００５−２６３８８０号公報
【特許文献４】特開２０１０−２３５８２８号公報
【特許文献５】特開２００１−２４７７９６号公報
【特許文献６】特開平１０−３３０６７２号公報
【特許文献７】特開２００１−１５０８６３号公報
【特許文献８】特開２００８−１１１０５１号公報
【発明の概要】
【発明が解決しようとする課題】
【００１０】
しかしながら、特許文献２の技術は、インクジェット用の水性インクについて、溶存酸素量を限定しているが、記録品質を確保する目的で表面張力を高く設定しており、ヘッドに対する濡れ広がりの悪さから充填性不良を招く可能性がある。特許文献３は超音波による脱気処理と中空糸膜による脱気処理を併用して物理的に溶存酸素濃度を下げる技術であるが、これら技術を駆使してもなお、気泡の発生を防ぎ、充填性の高い効果を得るには実用的に不十分である。
【００１１】
次に、特許文献４〜５の技術は、インクジェット用のインクに酸化防止剤を添加する技術であるが、ヘッドへの充填性向上を目的としたものではない。特許文献４は、水性インクに対応していないし、特許文献５は、作製方法が複雑であるため、工業的に安価に製造することが困難である。
【００１２】
次に、特許文献６〜７の技術は、酸化防止剤が酸素吸収能を持つことに着目し、気泡除去の目的でインク中あるいはインク容器にこれを添加する技術であるが、筆記具用途であり、技術をそのまま液体噴射用液体に展開することは困難である。最後に、特許文献８の技術は水性インク中で安定して気体を除去することを目的とし、酸化防止剤を包接するサイクロデキストリンを添加する技術であるが、特許文献６〜７同様、筆記具用途であり、技術をそのまま液体噴射用液体に展開できない。
【００１３】
本発明は、噴射孔から飛翔し、記録紙などの被記録媒体上に着弾する液体噴射用液体であって、液体中の気泡の発生を防ぎ、液体噴射ヘッドへの充填性が高い水性液体噴射用液体の提供を目的とする。
【課題を解決するための手段】
【００１４】
上記目的を達成するために、本発明の液体噴射用液体は以下の手段を採用している。
本発明は、液体噴射用液体全量に対する含有量が０．１〜５重量％である酸化防止剤を包接するサイクロデキストリンと、着色剤と、水と、水溶性有機溶剤とを含み、剪断速度１０００００（１／ｓ）における粘度が２５℃の時に３〜５０ｍＰａ・ｓである、という特徴を採用する。
【００１５】
この構成によれば、液体噴射用液体に酸素吸収能をもつ酸化防止剤を添加することによって、液体中に気泡が発生しにくくなり、インクジェットヘッドへのインク充填性が向上する。また、サイクロデキストリンが酸化防止剤を包接することによって、酸化防止剤は水性インク中でも安定して存在できるようになり、酸素吸収能を十分に発現可能になる上、時間の経過とともに酸素吸収能が低下する恐れも少ない。
【００１６】
真空減圧法や中空糸膜を用いた脱気方法により、液体噴射用液体の溶存酸素濃度を２ｍｇ／Ｌ以下とすることにより、気泡の発生を確実に防止できる。液体噴射ヘッドに充填する際、チューブやジョイント部から空気が混入し、酸素濃度が上昇することが頻繁に起こりうるが、酸化防止剤を包接するサイクロデキストリンが酸素を吸収するため、溶存酸素濃度を抑制し、気泡の発生を確実に防止することができる。
【００１７】
上記の構成を採用しつつ、剪断速度が１０００００（１／ｓ）における粘度が２５℃のときに、３〜５０ｍＰａ・ｓとなるように調整することで、本発明にかかる液体を液体噴射用液体として使用することができるものである。
【００１８】
また、前記酸化防止剤は、カテキン誘導体、アスコルビン酸誘導体、エリソルビン酸誘導体、コウジ酸誘導体、クロロゲン酸誘導体、没食子酸誘導体、フラボン誘導体、α−トコフェロール、α−リポ酸、ジブチルヒドロキシトルエン、ブチルヒドロキシアニソール、亜硫酸塩類、チオ硫酸塩類、ピロ亜硫酸塩類、ローズマリー抽出物のいずれかを含むことを特徴とし、酸化防止剤が液体噴射用液体全量に対して０．１〜５重量％含まれる、という構成を採用する。
【００１９】
この構成によれば、前記酸化防止剤は食品、医薬品などの分野で使用実績があり、安全性や汎用性に富んでいるため、入手が比較的容易であるし、製品の酸化を防ぐ効能、すなわち酸素吸収能についても、十分に実績のあるものである。酸化防止剤の添加量は、液体噴射用液体全量に対して、０．１〜５重量％とすることが望ましい。０．１重量％以下では酸素吸収能を十分に発揮することが困難であり、液体噴射ヘッドへの充填性を向上させることは難しい。また、５重量％以上添加しても、さらに高い酸素吸収能は期待できないため、これ以上の添加を要しない。
【００２０】
液体噴射用液体を真空減圧法や中空糸膜を用いた脱気することにより、液体噴射用液体の溶存酸素濃度を２ｍｇ／Ｌ以下とする。溶存酸素濃度が低いほど気泡発生を防止する効果は高いため、下限値は設けない。
【００２１】
脱気後の液体噴射用液体は通常、空気透過性の低い容器で保管されるが、液体噴射ヘッドに充填される際、チューブやジョイント部分から空気が混入し、液体噴射用液体中の酸素濃度が上がってしまうことは容易に起こりうる。そのような場合でも、サイクロデキストリンに包接された酸化防止剤が酸素吸収能を発揮し、酸素濃度の増加、すなわち気泡の発生を抑制することが可能となる。
【００２２】
また、本発明に係る液体噴射用液体を使用する液体噴射ヘッドは、圧電素子によって形成されたアクチュエータープレートと、前記アクチュエータープレートに液体を供給する液体室が形成された液体室プレートとを有することを特徴としている。
この構成によれば、本発明に係る液体噴射用液体を液体噴射ヘッドを用いて被記録媒体に噴射し、所望の印字及び記録等の作業を実施することができる。
【００２３】
また、本発明に係る液体噴射ヘッドを有する液体噴射記録装置は、被記録媒体を搬送する一対の搬送手段と、前記液体噴射ヘッドに液体噴射用液体を供給する液体供給手段と、前記液体噴射ヘッドを被記録媒体の搬送方向と略直交する方向に走査させる走査手段とを備えることを特徴としている。
この構成によれば、本発明に係る液体噴射ヘッドを液体噴射記録装置に搭載することができる。この構成を採用したことによって、液体噴射用液体を供給する手段を備え、被記録媒体に連続的に液体噴射用液体を噴射し、所望の印字及び記録等の作業を実施することができる。
【発明の効果】
【００２４】
液体噴射用液体に酸素吸収能をもつ酸化防止剤を添加することによって、液体中に気泡が発生しにくくなり、結果としてインクジェットヘッドへのインク充填性が向上する。酸化防止剤は、カテキン誘導体、アスコルビン酸誘導体、エリソルビン酸誘導体、コウジ酸誘導体、クロロゲン酸誘導体、没食子酸誘導体、フラボン誘導体、α−トコフェロール、α−リポ酸、ジブチルヒドロキシトルエン、ブチルヒドロキシアニソール、亜硫酸塩類、チオ硫酸塩類、ピロ亜硫酸塩類、ローズマリー抽出物から選択されるものを使用することによって、食品・医薬品などの多様な分野において酸素を吸収する効果が実証されている汎用性かつ安全性の高い材料を選択でき、気泡の発生を防止し、ヘッドへの充填性不良を解消できるようになる。また、サイクロデキストリンが酸化防止剤を包接することで、酸化防止剤は水媒体中でも安定して酸素吸収能を存在できるようになり、長期にわたって気泡の発生を抑制することが可能である。酸化防止剤の添加量を液体噴射用液体全量に対して、０．１〜５重量％とすることで、十分な酸素吸収能を発揮でき、気泡の発生を防止することができる。
【００２５】
真空減圧法や中空糸膜を用いた脱気方法により、液体噴射用液体の溶存酸素濃度を２ｍｇ／Ｌ以下とすることにより、気泡の発生を確実に防止できる。液体噴射ヘッドに充填する際、チューブやジョイント部から空気が混入し、酸素濃度が上昇することが頻繁に起こりうるが、酸化防止剤を包接するサイクロデキストリンが酸素を吸収するため、溶存酸素濃度を抑制し、気泡の発生を確実に防止することができる。
【００２６】
上記の構成をとりながら、剪断速度が１０００００（１／ｓ）における粘度が２５℃の時に３〜５０ｍＰａ・ｓとなるように調整すれば、本発明の組成物は液体噴射用液体として使用が可能になる。
【図面の簡単な説明】
【００２７】
【図１】本発明の実施例の含有成分を示す図である。
【図２】本発明の比較例の含有成分を示す図である。
【図３】本発明の実施例の評価を示す図である。
【図４】本発明の比較例の評価を示す図である。
【図５】本発明の液体噴射記録装置における液体噴射ヘッドを示す斜視図である。
【発明を実施するための形態】
【００２８】
２５℃におけるせん断速度１０００００ｓ-1の粘度はＡｎｔｏｎＰａａｒ社製レオメーターＭＣＲ−３０１を用いて測定した。
着色剤としては、従来の水性インク組成物で使用される公知の染料又は顔料を使用できる。
【００２９】
染料としては、ジャパノールファストブラックＤコンク（Ｃ．Ｉ．ダイレクトブラック１７）、ウォーターブラック１００Ｌ（Ｃ．Ｉ．ダイレクトブラック１９）、ウォーターブラックＬ−２００（Ｃ．Ｉ．ダイレクトブラック１９）、ダイレクトファストブラックＢ（Ｃ．Ｉ．ダイレクトブラック２２）、ダイレクトファストブラックＡＢ（Ｃ．Ｉ．ダイレクトブラック３２）、ダイレクトディープブラックＥＸ（Ｃ．Ｉ．ダイレクトブラック３８）、ダイレクトファストブラックコンク（Ｃ．Ｉ．ダイレクトブラック５１）、カヤラススプラグレイＶＧＮ（Ｃ．Ｉ．ダイレクトブラック７１）、カヤラスダイレクトブリリアントエローＧ（Ｃ．Ｉ．ダイレクトエロー４）、ダイレクトファストエロー５ＧＬ（Ｃ．Ｉ．ダイレクトエロー２６）、アイゼンプリムラエローＧＣＬＨ（Ｃ．Ｉ．ダイレクトエロー４４）、ダイレクトファストエローＲ（Ｃ．Ｉ．ダイレクトエロー５０）、アイゼンダイレクトファストレッドＦＨ（Ｃ．Ｉ．ダイレクトレッド１）、ニッポンファストスカーレットＧＳＸ（Ｃ．Ｉ．ダイレクトレッド４）、ダイレクトファストスカーレット４ＢＳ（Ｃ．Ｉ．ダイレクトレッド２３）、アイゼンダイレクトローデュリンＢＨ（Ｃ．Ｉ．ダイレクトレッド３１）、ダイレクトスカーレットＢ（Ｃ．Ｉ．ダイレクトレッド３７）、カヤクダイレクトスカーレット３Ｂ（Ｃ．Ｉ．ダイレクトレッド３９）、アイゼンプリムラピンク２ＢＬＨ（Ｃ．Ｉ．ダイレクトレッド７５）、スミライトレッドＦ３Ｂ（Ｃ．Ｉ．ダイレクトレッド８０）、アイゼンプリムラレッド４ＢＨ（Ｃ．Ｉ．ダイレクトレッド８１）、カヤラススプラルビンＢＬ（Ｃ．Ｉ．ダイレクトレッド８３）、カヤラスライトレッドＦ５Ｇ（Ｃ．Ｉ．ダイレクトレッド２２５）、カヤラスライトレッドＦ５Ｂ（Ｃ．Ｉ．ダイレクトレッド２２６）、カヤラスライトローズＦＲ（Ｃ．Ｉ．ダイレクトレッド２２７）、ダイレクトスカイブルー６Ｂ（Ｃ．Ｉ．ダイレクトブルー１）、ダイレクトスカイブルー５Ｂ（Ｃ．Ｉ．ダイレクトブルー１５）、スミライトスプラブルーＢＲＲコンク（Ｃ．Ｉ．ダイレクトブルー７１）、ダイボーゲンターコイズブルーＳ（Ｃ．Ｉ．ダイレクトブルー８６）、ウォーターブルー＃３（Ｃ．Ｉ．ダイレクトブルー８６）、カヤラスターコイズブルーＧＬ（Ｃ．Ｉ．ダイレクトブルー８６）、カヤラススプラブルーＦＦ２ＧＬ（Ｃ．Ｉ．ダイレクトブルー１０６）、カヤラススプラターコイズブルーＦＢＬ（Ｃ．Ｉ．ダイレクトブルー１９９）等の直接染料；
【００３０】
アシッドブルーブラック１０Ｂ（Ｃ．Ｉ．アシッドブラック１）、ニグロシン（Ｃ．Ｉ．アシッドブラック２）、スミノールミリングブラック８ＢＸ（Ｃ．Ｉ．アシッドブラック２４）、カヤノールミリングブラックＶＬＧ（Ｃ．Ｉ．アシッドブラック２６）、スミノールファストブラックＢＲコンク（Ｃ．Ｉ．アシッドブラック３１）、ミツイナイロンブラックＧＬ（Ｃ．Ｉ．アシッドブラック５２）、アイゼンオパールブラックＷＨエクストラコンク（Ｃ．Ｉ．アシッドブラック５２）、スミランブラックＷＡ（Ｃ．Ｉ．アシッドブラック５２）、ラニルブラックＢＧエクストラコンク（Ｃ．Ｉ．アシッドブラック１０７）、カヤノールミリングブラックＴＬＢ（Ｃ．Ｉ．アシッドブラック１０９）、スミノールミリングブラックＢ（Ｃ．Ｉ．アシッドブラック１０９）、カヤノールミリングブラックＴＬＲ（Ｃ．Ｉ．アシッドブラック１１０）、アイゼンオパールブラックニューコンク（Ｃ．Ｉ．アシッドブラック１１９）、ウォーターブラック１８７−Ｌ（Ｃ．Ｉ．アシッドブラック１５４）、カヤクアシッドブリリアントフラビンＦＦ（Ｃ．Ｉ．アシッドエロー７：１）、カヤシルエローＧＧ（Ｃ．Ｉ．アシッドエロー１７）、キシレンライトエロー２Ｇ１４０％（Ｃ．Ｉ．アシッドエロー１７）、スミノールレベリングエローＮＲ（Ｃ．Ｉ．アシッドエロー１９）、ダイワタートラジン（Ｃ．Ｉ．アシッドエロー２３）、カヤクタートラジン（Ｃ．Ｉ．アシッドエロー２３）、スミノールファストエローＲ（Ｃ．Ｉ．アシッドエロー２５）、ダイアシッドライトエロー２ＧＰ（Ｃ．Ｉ．アシッドエロー２９）、スミノールミリングエローＯ（Ｃ．Ｉ．アシッドエロー３８）、スミノールミリングエローＭＲ（Ｃ．Ｉ．アシッドエロー４２）、ウォーターエロー＃６（Ｃ．Ｉ．アシッドエロー４２）、カヤノールエローＮＦＧ（Ｃ．Ｉ．アシッドエロー４９）、スミノールミリングエロー３Ｇ（Ｃ．Ｉ．アシッドエロー７２）、スミノールファストエローＧ（Ｃ．Ｉ．アシッドエロー６１）、スミノールミリングエローＧ（Ｃ．Ｉ．アシッドエロー７８）、カヤノールエローＮ５Ｇ（Ｃ．Ｉ．アシッドエロー１１０）、スミノールミリングエロー４Ｇ２００％（Ｃ．Ｉ．アシッドエロー１４１）、カヤノールエローＮＧ（Ｃ．Ｉ．アシッドエロー１３５）、カヤノールミリングエロー５ＧＷ（Ｃ．Ｉ．アシッドエロー１２７）、カヤノールミリングエロー６ＧＷ（Ｃ．Ｉ．アシッドエロー１４２）、スミトモファストスカーレットＡ（Ｃ．Ｉ．アシッドレッド８）、カヤクシルクスカーレット（Ｃ．Ｉ．アシッドレッド９）、ソーラールビンエクストラ（Ｃ．Ｉ．アシッドレッド１４）、ダイワニューコクシン（Ｃ．Ｉ．アシッドレッド１８）、アイゼンボンソーＲＨ（Ｃ．Ｉ．アシッドレッド２６）、ダイワ赤色２号（Ｃ．Ｉ．アシッドレッド２７）、スミノールレベリングブリリアントレッドＳ３Ｂ（Ｃ．Ｉ．アシッドレッド３５）、カヤシルルビノール３ＧＳ（Ｃ．Ｉ．アシッドレッド３７）、アイゼンエリスロシン（Ｃ．Ｉ．アシッドレッド５１）、カヤクアシッドローダミンＦＢ（Ｃ．Ｉ．アシッドレッド５２）、スミノールレベリングルビノール３ＧＰ（Ｃ．Ｉ．アシッドレッド５７）、ダイアシッドアリザリンルビノールＦ３Ｇ２００％（Ｃ．Ｉ．アシッドレッド８２）、アイゼンエオシンＧＨ（Ｃ．Ｉ．アシッドレッド８７）、ウォーターピンク＃２（Ｃ．Ｉ．アシッドレッド９２）、アイゼンアシッドフロキシンＰＢ（Ｃ．Ｉ．アシッドレッド９２）、ローズベンガル（Ｃ．Ｉ．アシッドレッド９４）、カヤノールミリングスカーレットＦＧＷ（Ｃ．Ｉ．アシッドレッド１１１）、カヤノールミリングルビン３ＢＷ（Ｃ．Ｉ．アシッドレッド１２９）、スミノオールミリングブリリアントレッド３ＢＮコンク（Ｃ．Ｉ．アシッドレッド１３１）、スミノールミリングブリリアントレッドＢＳ（Ｃ．Ｉ．アシッドレッド１３８）、アイゼンオパールピンクＢＨ（Ｃ．Ｉ．アシッドレッド１８６）、スミノールミリングブリリアントレッドＢコンク（Ｃ．Ｉ．アシッドレッド２４９）、カヤクアシッドブリリアントレッド３ＢＬ（Ｃ．Ｉ．アシッドレッド２５４）、カヤクアシッドブリリドブリリアントレッドＢＬ（Ｃ．Ｉ．アシッドレッド２６５）、カヤノールミリングレッドＧＷ（Ｃ．Ｉ．アシッドレッド２７６）、ミツイアシッドバイオレット６ＢＮ（Ｃ．Ｉ．アシッドバイオレット１５）、ミツイアシッドバイオレットＢＮ（Ｃ．Ｉ．アシッドバイオレット１７）、スミトモパテントピュアブルーＶＸ（Ｃ．Ｉ．アシッドブルー１）、ウォーターブルー＃１０６（Ｃ．Ｉ．アシッドブルー１）、パテントブルーＡＦ（Ｃ．Ｉ．アシッドブルー７）、ウォーターブルー＃９（Ｃ．Ｉ．アシッドブルー９）、ダイワ青色１号（Ｃ．Ｉ．アシッドブルー９）、スプラノールブルーＢ（Ｃ．Ｉ．アシッドブルー１５）、オリエントソルブルブルーＯＢＣ（Ｃ．Ｉ．アシッドブルー２２）、スミノールレベリングブルー４ＧＬ（Ｃ．Ｉ．アシッドブルー２３）、ミツイナイロンファストブルーＧ（Ｃ．Ｉ．アシッドブルー２５）、カヤシルブルーＡＧＧ（Ｃ．Ｉ．アシッドブルー４０）、カヤシルブルーＢＲ（Ｃ．Ｉ．アシッドブルー４１）、ミツイアリザリンサフィロールＳＥ（Ｃ．Ｉ．アシッドブルー４３）、スミノールレベリングスカイブルーＲエクストラコンク（Ｃ．Ｉ．アシッドブルー６２）、ミツイナイロンファストスカイブルーＢ（Ｃ．Ｉ．アシッドブルー７８）、スミトモブリリアントインドシアニン６Ｂｈ／ｃ（Ｃ．Ｉ．アシッドブルー８３）、サンドランシアニンＮ−６Ｂ３５０％（Ｃ．Ｉ．アシッドブルー９０）、ウォーターブルー＃１１５（Ｃ．Ｉ．アシッドブルー９０）、オリエントソルブルブルーＯＢＢ（Ｃ．Ｉ．アシッドブルー９３）、スミトモブリリアントブルー５Ｇ（Ｃ．Ｉ．アシッドブルー１０３）、カヤノールミリングウルトラスカイＳＥ（Ｃ．Ｉ．アシッドブルー１１２）、カヤノールミリングシアニン５Ｒ（Ｃ．Ｉ．アシッドブルー１１３）、アイゼンオパールブルー２ＧＬＨ（Ｃ．Ｉ．アシッドブルー１５８）、ダイワギニアグリーンＢ（Ｃ．Ｉ．アシッドグリーン３）、アシッドブリリアントミリンググリーンＢ（Ｃ．Ｉ．アシッドグリーン９）、ダイワグリーン＃７０（Ｃ．Ｉ．アシッドグリーン１６）、カヤノールシアニングリーンＧ（Ｃ．Ｉ．アシッドグリーン２５）、スミノールミリンググリーンＧ（Ｃ．Ｉ．アシッドグリーン２７）等の酸性染料；
【００３１】
アイゼンカチロンイエロー３ＧＬＨ（Ｃ．Ｉ．ベーシックイエロー１１）、アイゼンカチロンブリリアントイエロー５ＧＬＨ（Ｃ．Ｉ．ベーシックイエロー１３）、スミアクリルイエローＥ−３ＲＤ（Ｃ．Ｉ．ベーシックイエロー１５）、マキシロンイエロー２ＲＬ（Ｃ．Ｉ．ベーシックイエロー１９）、アストラゾンイエロー７ＧＬＬ（Ｃ．Ｉ．ベーシックイエロー２１）、カヤクリルゴールデンイエローＧＬ−ＥＤ（Ｃ．Ｉ．ベーシックイエロー２８）、アストラゾンイエロー５ＧＬ（Ｃ．Ｉ．ベーシックイエロー５１）、アイゼンカチロンオレンジＧＬＨ（Ｃ．Ｉ．ベーシックオレンジ２１）、アイゼンカチロンブラウン３ＧＬＨ（Ｃ．Ｉ．ベーシックオレンジ３０）、ローダミン６ＧＣＰ（Ｃ．Ｉ．ベーシックレッド１）、アイゼンアストラフロキシン（Ｃ．Ｉ．ベーシックレッド１２）、スミアクリルブリリアントレッドＥ−２Ｂ（Ｃ．Ｉ．ベーシックレッド１５）、アストラゾンレッドＧＴＬ（Ｃ．Ｉ．ベーシックレッド１８）、アイゼンカチロンブリリアントピンクＢＧＨ（Ｃ．Ｉ．ベーシックレッド２７）、マキシロンレッドＧＲＬ（Ｃ．Ｉ．ベーシックレッド４６）、アイゼンメチルバイオレット（Ｃ．Ｉ．ベーシックバイオレット１）、アイゼンクリスタルバイオレット（Ｃ．Ｉ．ベーシックバイオレット３）、アイゼンローダミンＢ（Ｃ．Ｉ．ベーシックバイオレット１０）、アストラゾンブルーＧ（Ｃ．Ｉ．ベーシックブルー１）、アストラゾンブルーＢＧ（Ｃ．Ｉ．ベーシックブルー３）、メチレンブルー（Ｃ．Ｉ．ベーシックブルー９）、マキシロンブルーＧＲＬ（Ｃ．Ｉ．ベーシックブルー４１）、アイゼンカチロンブルーＢＲＬＨ（Ｃ．Ｉ．ベーシックブルー５４）、アイゼンダイヤモンドグリーンＧＨ（Ｃ．Ｉ．ベーシックグリーン１）、アイゼンマラカイトグリーン（Ｃ．Ｉ．ベーシックグリーン４）、ビスマルクブラウンＧ（Ｃ．Ｉ．ベーシックブラウン１）等の塩基性染料が例示できる。
【００３２】
顔料としては、アゾ系顔料、ニトロソ系顔料、ニトロ系顔料、塩基性染料系顔料、酸性染料系顔料、建て染め染料系顔料、媒染染料系顔料、天然染料系顔料等の有機系顔料；黄土、バリウム黄、紺青、カドミウムレッド、硫酸バリウム、酸化チタン、弁柄、鉄黒、カーボンブラック等の無機系顔料が例示でき、例えば、アニリンブラック（Ｃ．Ｉ．５０４４０）、シアニンブラック、ナフトールエローＳ（Ｃ．Ｉ．１０３１６）、ハンザエロー１０Ｇ（Ｃ．Ｉ．１１７１０）、ハンザエロー５Ｇ（Ｃ．Ｉ．１１６６０）、ハンザエロー３Ｇ（Ｃ．Ｉ．１１６７０）、ハンザエローＧ（Ｃ．Ｉ．１１６８０）、ハンザエローＧＲ（Ｃ．Ｉ．１１７３０）、ハンザエローＡ（Ｃ．Ｉ．１１７３５）、ハンザエローＲＮ（Ｃ．Ｉ．１１７４０）、ハンザエローＲ（Ｃ．Ｉ．１２７１０）、ピグメントエローＬ（Ｃ．Ｉ．１２７２０）、ベンジジンエロー（Ｃ．Ｉ．２１０９０）、ベンジジンエローＧ（Ｃ．Ｉ．２１０９５）、ベンジジンエローＧＲ（Ｃ．Ｉ．２１１００）、パーマネントエローＮＣＧ（Ｃ．Ｉ．２００４０）、バルカンファストエロー５Ｇ（Ｃ．Ｉ．２１２２０）、バルカンファストエローＲ（Ｃ．Ｉ．２１１３５）、タートラジンレーキ（Ｃ．Ｉ．１９１４０）、キノリンエローレーキ（Ｃ．Ｉ．４７００５）、アンスラゲンエロー６ＧＬ（Ｃ．Ｉ．６０５２０）、パーマネントエローＦＧＬ、パーマネントエローＨ１０Ｇ、パーマネントエローＨＲ、アンスラピリミジンエロー（Ｃ．Ｉ．６８４２０）、スダーンＩ（Ｃ．Ｉ．１２０５５）、パーマネントオレンジ（Ｃ．Ｉ．１２０７５）、リソールファストオレンジ（Ｃ．Ｉ．１２１２５）、パーマネントオレンジＧＴＲ（Ｃ．Ｉ．１２３０５）、ハンザエロー３Ｒ（Ｃ．Ｉ．１１７２５）、バルカンファストオレンジＧＧ（Ｃ．Ｉ．２１１６５）、ベンジジンオレンジＧ（Ｃ．Ｉ．２１１１０）、ペルシアンオレンジ（Ｃ．Ｉ．１５５１０）、インダンスレンブリリアントオレンジＧＫ（Ｃ．Ｉ．５９３０５）、インダンスレンブリリアントオレンジＲＫ（Ｃ．Ｉ．５９１０５）、インダンスレンブリリアントオレンジＧＲ（Ｃ．Ｉ．７１１０５）、パーマネントブラウンＦＧ（Ｃ．Ｉ．１２４８０）、パラブラウン（Ｃ．Ｉ．１２０７１）、パーマネントレッド４Ｒ（Ｃ．Ｉ．１２１２０）、パラレッド（Ｃ．Ｉ．１２０７０）、ファイヤーレッド（Ｃ．Ｉ．１２０８５）、パラクロルオルトアニリンレッド（Ｃ．Ｉ．１２０９０）、リソールファストスカーレット、ブリリアントファストスカーレット（Ｃ．Ｉ．１２３１５）、ブリリアントカーミンＢＳ、パーマネントレッドＦ２Ｒ（Ｃ．Ｉ．１２３１０）、パーマネントレッドＦ４Ｒ（Ｃ．Ｉ．１２３３５）、パーマネントレッドＦＲＬ（Ｃ．Ｉ．１２４４０）、パーマネントレッドＦＲＬＬ（Ｃ．Ｉ．１２４６０）、パーマネントレッドＦ４ＲＨ（Ｃ．Ｉ．１２４２０）、ファストスカーレットＶＤ、バルカンファストルビンＢ（Ｃ．Ｉ．１２３２０）、バルカンファストピンクＧ（Ｃ．Ｉ．１２３３０）、ライトファストレッドトーナーＢ（Ｃ．Ｉ．１２４５０）、ライトファストレッドトーナーＲ（Ｃ．Ｉ．１２４５５）、パーマネントカーミンＦＢ（Ｃ．Ｉ．１２４９０）、ピラゾロンレッド（Ｃ．Ｉ．１２１２０）、リソールレッド（Ｃ．Ｉ．１５６３０）、レーキレッドＣ（Ｃ．Ｉ．１５５８５）、レーキレッドＤ（Ｃ．Ｉ．１５５００）、アンソシンＢ（Ｃ．Ｉ．１８０３０）、ブリリアントスカーレットＧ（Ｃ．Ｉ．１５８００）、リソールルビンＧＫ（Ｃ．Ｉ．１５８２５）、パーマネントレッドＦ５Ｒ（Ｃ．Ｉ．１５８６５）、ブリリアントカーミン６Ｂ（Ｃ．Ｉ．１５８５０）、ピグメントスカーレット３Ｂ（Ｃ．Ｉ．１６１０５）、ボルドー５Ｂ（Ｃ．Ｉ．１２１７０）、トルイジンマルーン（Ｃ．Ｉ．１２３５０）、パーマネントボルドーＦ２Ｒ（Ｃ．Ｉ．１２３８５）、ヘリオボルドーＢＬ（Ｃ．Ｉ．１４８３０）、ボルドー１０Ｂ（Ｃ．Ｉ．１５８８０）、ボンマルーンライト（Ｃ．Ｉ．１５８２５）、ボンマルーンメジウム（Ｃ．Ｉ．１５８８０）、エオシンレーキ（Ｃ．Ｉ．４５３８０）、ローダミンレーキＢ（Ｃ．Ｉ．４５１７０）、ローダミンレーキＹ（Ｃ．Ｉ．４５１６０）、アリザリンレーキ（Ｃ．Ｉ．５８０００）、チオインジゴレッドＢ（Ｃ．Ｉ．７３３００）、チオインジゴマルーン（Ｃ．Ｉ．７３３８５）、パーマネントレッドＦＧＲ（Ｃ．Ｉ．１２３７０）、ＰＶカーミンＨＲ、ワッチングレッド，モノライトファストレッドＹＳ（Ｃ．Ｉ．５９３００）、パーマネントレッドＢＬ、ファストバイオレットＢ、メチルバイオレットレーキ（Ｃ．Ｉ．４２５３５）、ジオキサジンバイオレット、アルカリブルーレーキ（Ｃ．Ｉ．４２７５０Ａ、Ｃ．Ｉ．４２７７０Ａ）、ピーコックブルーレーキ（Ｃ．Ｉ．４２０９０）、ピーコックブルーレーキ（Ｃ．Ｉ．４２０２５）、ビクトリアブルーレーキ（Ｃ．Ｉ．４４０４５）、フタロシアニンブルー（Ｃ．Ｉ．７４１６０）、ファストスカイブルー（Ｃ．Ｉ．７４１８０）、インダンスレンブルーＲＳ（Ｃ．Ｉ．６９８００）、インダンスレンブルーＢＣ（Ｃ．Ｉ．６９８２５）、インジゴ（Ｃ．Ｉ．７３０００）、ピグメントグリーンＢ（Ｃ．Ｉ．１０００６）、ナフトールグリーンＢ（Ｃ．Ｉ．１００２０）、グリーンゴールド（Ｃ．Ｉ．１２７７５）、アシッドグリーンレーキ、マラカイトグリーンレーキ（Ｃ．Ｉ．４２０００）、フタロシアニングリーン等が例示できる。
【００３３】
さらに、上記以外の加工顔料としては、Ｒｅｎｏｌ  Ｙｅｌｌｏｗ  ＧＧ−ＨＷ３０、Ｒｅｎｏｌ  Ｙｅｌｌｏｗ  ＨＲ−ＨＷ３０、Ｒｅｎｏｌ  Ｏｒａｎｇｅ  ＲＬ−ＨＷ３０、Ｒｅｎｏｌ  Ｒｅｄ  ＨＦ２Ｂ−ＨＷ３０、Ｒｅｎｏｌ  Ｒｅｄ  ＦＧＲ−ＨＷ３０、Ｒｅｎｏｌ  Ｒｅｄ  Ｆ５ＲＫ−ＨＷ３０、Ｒｅｎｏｌ  Ｃａｒｍｉｎｅ  ＦＢＢ−ＨＷ３０、Ｒｅｎｏｌ  Ｖｉｏｌｅｔ    ＲＬ−ＨＷ３０、Ｒｅｎｏｌ  Ｂｌｕｅ  Ｂ２Ｇ−ＨＷ３０、Ｒｅｎｏｌ  Ｂｌｕｅ  ＣＦ−ＨＷ３０、Ｒｅｎｏｌ  ＧｒｅｅｎＧＧ−ＨＷ３０、Ｒｅｎｏｌ  Ｂｒｏｗｎ  ＨＦＲ−ＨＷ３０、Ｒｅｎｏｌ  ＢｌａｃｋＲ−ＨＷ３０（以上、クラリアントジャパン株式会社製）、ＵＴＣＯ−００１エロー、ＵＴＣＯ−０１２エロー、ＵＴＣＯ−０２１オレンジ、ＵＴＣＯ−０３１レッド、ＵＴＣＯ−０３２レッド、ＵＴＣＯ−０４２バイオレット、ＵＴＣＯ−０５１ブルー、ＵＴＣＯ−０５２ブルー、ＵＴＣＯ−０６１グリーン、ＵＴＣＯ−５９１ブラック、ＵＴＣＯ−５９２ブラック（以上、大日精化工業株式会社製）、ＭＩＣＲＯＬＩＴＨ  Ｙｅｌｌｏｗ  ４Ｇ−Ａ、ＭＩＣＲＯＬＩＴＨ  Ｙｅｌｌｏｗ  ＭＸ−Ａ、ＭＩＣＲＯＬＩＴＨ  Ｙｅｌｌｏｗ  ２Ｒ−Ａ、ＭＩＣＲＯＬＩＴＨ  Ｂｒｏｗｎ５Ｒ−Ａ、Ｓｃａｒｌｅｔ  Ｒ−Ａ、Ｒｅｄ２Ｃ−Ａ、Ｒｅｄ３Ｒ−Ａ、Ｍａｇｅｎｔａ２Ｂ−Ａ、ＶｉｏｌｅｔＢ−Ａ、Ｂｌｕｅ４Ｇ−Ａ、ＧｒｅｅｎＧ−Ａ（以上、チバスペシャリティケミカルズ株式会社製）等が例示できる。
【００３４】
また、顔料として、あらかじめ水分散性を付与された市販品も使用できる。水分散性顔料として、より具体的には、キャボジェットシリーズ（キャボットコーポレーション製）、ｕｎｉｓｐｅｒｓｅシリーズ（チバスペシャリティケミカルズ株式会社製）、ＳＡＮＤＹＥシリーズ（山陽色素株式会社製）、Ｔ−ＡＸシリーズ（東亜合成株式会社製）、ＭＦカラーシリーズ（大日精化工業株式会社製）、ポルックスシリーズ（住化カラー株式会社製）、ＮＫＷシリーズ（日本蛍光化学株式会社製）、ＳＷ−１００シリーズ（シンロイヒ株式会社製）等が例示できる。
また、本発明のインク組成物において、水溶性有機溶剤、酸化防止剤を包接するサイクロデキストリン、着色剤、分散剤以外の残部は水である。
【００３５】
本発明の液体噴射用液体の着色剤に顔料を用いる場合には、顔料の分散性向上の為に、分散剤を使用してもよい。前記分散剤としては、高分子分散剤、アニオン系もしくはノニオン系の界面活性剤など、一般に顔料の分散剤として用いられるものが使用できる。一例として、高分子分散剤として、ポリアクリル酸、スチレン−アクリル酸共重合体、スチレン−マレイン酸共重合体、スチレン−無水マレイン酸共重合体、スチレン−メタクリル酸共重合体、アクリル酸−アクリロニトリル共重合体、ビニルナフタレン−アクリル酸共重合体、ビニルナフタレン−マレイン酸共重合体などの合成高分子等が挙げられる。
【００３６】
また、界面活性剤として、アルキル硫酸エステル塩、α−オレフィンスルホン酸塩、ポリオキシエチレンアルキルエーテル硫酸塩、アルキルベンゼンスルホン酸塩、Ｎ−アシルアミノ酸及びその塩、Ｎ−アシルメチルタウリン塩、アルキルスルホカルボン酸塩、ナフタレンスルホン酸塩、ナフタレンスルホン酸ホルマリン縮合物のナトリウム塩、アルキルリン酸塩、ポリオキシエチレンアルキルエーテルリン酸エステル塩などのアニオン性界面活性剤、ポリオキシエチレンアルキルエーテル類、ソルビタンアルキルエステル類、ポリオキシエチレンソルビタンアルキルエステル類等のノニオン性界面活性剤が挙げられる。これら高分子分散剤及び界面活性剤は、その１種または２種以上を選択し、併用しても使用できる。その使用量は、少ない場合は添加する目的である分散効果が弱く、多い場合は液体噴射用液体中の各組成物の溶解バランスを崩してしまい各種不具合が発生する懸念があるため、液体噴射用液体全量に対して０．１重量％以上１５重量％以下が好ましい。
【００３７】
酸化防止剤は、カテキン誘導体、アスコルビン酸誘導体、エリソルビン酸誘導体、コウジ酸誘導体、クロロゲン酸誘導体、没食子酸誘導体、フラボン誘導体、α−トコフェロール、α−リポ酸、ジブチルヒドロキシトルエン、ブチルヒドロキシアニソール、亜硫酸塩類、チオ硫酸塩類、ピロ亜硫酸塩類、ローズマリー抽出物から選択されるものであれば、特に制限は受けない。例えば、α−リポ酸を包接するサイクロデキストリンとして、α−リポ酸ＣＤ−２０（株式会社東洋発酵製、α−リポ酸２０％）、カテキンを包接するサイクロデキストリンとして、サンフードＣＤ（塩水港精糖株式会社製、カテキン９％）が挙げられる。十分な酸素吸収能を保持することと、過剰な添加を防ぐためには、酸化防止剤の添加量が液体噴射用液体全量に対して、０．1〜５重量％となるように、酸化防止剤を包接するサイクロデキストリンを添加することが望ましい。
【００３８】
また、水溶性有機溶剤は、以下のものが例示されるが、これらに限定されるものではない。
例えば、エチレングリコール、ジエチレングリコール、トリエチレングリコール、プロピレングリコール、ジプロピレングリコール、トリプロピレングリコール、ブチレングリコール、チオジグリコール、ヘキシレングリコール等のアルキレングリコール類、ポリエチレングリコール、ポリプロピレングリコール等のポリアルキレングリコール類、グリセリン、１、３−ペンタンジオール、１、５−ペンタンジオール、１、３−ブタンジオール等の多価アルコール類、メチルアルコール、エチルアルコール、イソプロピルアルコール等の低級アルコール類、２−ピロリドン、Ｎ−メチル−２−ピロリドン、１、３−ジメチルイミダゾリジノン、ε−カプロラクタム等の含窒素複素環化合物類、エチレングリコールメチルエーテル、エチレングリコールエチルエーテル、エチレングリコールブチルエーテル、エチレングリコール−n−プロピルエーテル、ジエチレングリコールメチルエーテル、ジエチレングリコールエチルエーテル、ジエチレングリコールブチルエーテル、ジエチレングリコール−n−プロピルエーテル、ジエチレングリコール−n−ブチルエーテル、トリエチレングリコールメチルエーテル、テトラエチレングリコールメチルエーテル等のグリコールエーテル類が挙げられる。これらの水溶性有機溶剤は、単独または２種以上を併用することができる。
【００３９】
水溶性有機溶剤は、例えば、インクジェットヘッドのノズル先端部におけるインクの乾燥を防止したり、メディア定着後の浸透を調整したりする目的で含有される。その添加量は、液体噴射用液体全量に対して５重量％〜５０重量％とすることが好ましい。また、本発明のインク組成物において、水溶性有機溶剤、酸化防止剤を包接するサイクロデキストリン、着色剤、分散剤以外の残部は水である。
【００４０】
液体噴射用液体を製造する方法は、液体噴射用液体組成物の製造方法としては従来知られている種々の方法が採用できる。例えば、ボールミル、ビーズミル、ロールミル、ヘンシェルミキサー、プロペラ撹拌機、ホモジナイザー、ホモミキサー、ニーダー等の装置を使用して作ることが出来る。更に濾過や遠心分離を行い粗大粒子や気体を除いても良い。製造時に加熱や冷却、加圧や減圧、不活性ガス置換をしても良い。また、内容物の溶解や分散を促進するため、液体噴射用液体自体を加熱放置したり、過熱しながら撹拌や分散したりすることも、液体噴射用液体の内容物の溶解や分散上好ましいことである。また、製造した液体噴射用液体を温度の低い状態（０〜３０℃）で保管したりすることは、インキ組成物の経時性能を劣化させないためにも好ましい。これらはそれぞれ単独で使用しても良いし、組み合わせて使用しても良い。
【００４１】
液体噴射用液体は、脱気手段を利用することにより、溶存酸素濃度を２ｍｇ／Ｌ以下とすることが好ましい。溶存酸素濃度が低いほど気泡発生を防止する効果は高いため、下限値は設けない。溶存酸素濃度はＤОメーター  ＵＣ−１２−ＳＯＬ型  （セントラル科学株式会社製）など、市販の溶存酸素計を用いて簡便に測定することができる。
【００４２】
液体噴射用液体の溶存酸素濃度を２ｍｇ／Ｌ以下とする方法については特に限定されず、例えば、中空糸膜モジュールを用いた脱気方法、真空減圧下で脱気する方法が挙げられる。中空糸膜の脱気モジュールは、例えば、ＳＥＰＡＲＥＬシリーズ（大日本インキ化学工業株式会社製）、MHFシリーズ（三菱レイヨン株式会社製）等、市販品を利用することができる。
【００４３】
以下、本発明を実施例により詳細に説明する。実施例中の各成分を含有している箇所にのみ、図１において数字を記載している。図１において、−（ハイフン）で示す箇所は、その成分が含有されていないことを示す。実施例中の数字は「重量部」を示す。
【００４４】
次に、比較例を示す。比較例中の各成分を含有している箇所にのみ、図２において数字を記載している。図２において、−（ハイフン）で示す箇所は、その成分が含有されていないことを示す。比較例中の数字は「重量部」を示す。
図１、図２の組成成分について、その詳細を説明する。
【００４５】
α−リポ酸ＣＤ−２０は、α−リポ酸を包接するサイクロデキストリンである（株式会社東洋発酵製）。(±)-α-トコフェロールは、α−トコフェロールを９８％以上含む（和光純薬株式会社製）。キャボジェット３００ブラックは、カーボンブラック顔料が１５重量％であり、その粘度は３．８ｍＰａ・ｓである（キャボットコーポレーション製）。ジョンクリル７１１は、アクリル系樹脂である（ＢＡＳＦジャパン株式会社製）。
【００４６】
実施例１〜２及び比較例１〜４で得た液体噴射用液体を液体噴射記録装置（３６０ｄｐｉ、駆動周波数７ｋＨｚ、ノズル数５０８）でポリエステル生地に印字した。また、実施例１〜２及び比較例１〜４で得た液体噴射用液体をガラス瓶に入れ、４５℃で１ヶ月保管し、粘度を測定した。実施例１〜２の評価結果を図３に、比較例１〜４の評価結果を図４において記載している。
【００４７】
液体噴射用ヘッドへの充填性について説明する。実施例１〜２、比較例１〜４の液体噴射用液体を液体噴射用装置に搭載し、３６０ｄｐｉ、駆動周波数１４ｋＨｚの条件における吐出の可否を比較した。
【００４８】
実施例１、２および比較例２は、酸化防止剤を包接するサイクロデキストリン、あるいは酸化防止剤を含み、かつ、剪断速度１０００００（１／ｓ）における粘度が２５℃の時に３〜５０ｍＰａ・ｓであるため、全ノズル数に対する吐出不良ノズル数の割合は１％未満である（目視による判断）。
【００４９】
なお、サイクロデキストリンは、環状オリゴ糖とも呼ばれ、馬鈴薯やトウモロコシのでん粉から作られている天然素材である。高い安全性を保持することから、食品、医薬品、化粧品など、多岐に渡る分野で使用されている。その構造は、複数のブドウ糖がα−１，４結合し、さらにその両端が結合することにより環状中空型を成している。そのため、内側の空洞に他の分子を取り込む能力を有する。
【００５０】
一般的に、他の物質を取り込む能力を持つ物質はホスト分子、取り込まれる物質はゲスト分子と称され、ホスト分子がゲスト分子を取り込むことを包接という。サイクロデキストリンはホスト分子として、他の物質を包接する高い能力を有し、ゲスト分子の光・熱分解の防止等に利用されている。また、空洞の内部は疎水性、外部は親水性を示すため、水に難溶な物質を包接し、水媒体中で安定化させることも可能である。この作用から、本発明は、水に難溶な酸化防止剤をサイクロデキストリンに包接することで、長期にわたって酸化防止剤が酸素を吸収する能力を保持することを利用したものである。
【００５１】
比較例１は、酸化防止剤を包接するサイクロデキストリン、あるいは酸化防止剤をふくまないため、全ノズル数に対する吐出不良ノズル数の割合は５.１％である。（目視による判断）
比較例３、４は、酸化防止剤を包接するサイクロデキストリンを含むが、剪断速度１０００００（１／ｓ）における粘度が２５℃の時に３ｍＰａ・ｓ未満あるいは５０ｍＰａ・ｓ以上であるため、吐出不可能。
【００５２】
保存安定性について説明する。実施例１〜２、比較例１〜４の液体噴射用液体を４５℃で１ヶ月静置後、粘度を測定し、初期値と比較した。
実施例１〜２、比較例１、３、４は、水媒体中で酸化防止剤が単体で存在しないため、粘度の変化量は初期値から±０．３ｍＰａ・ｓ以内である。
【００５３】
比較例２は、水媒体中で酸化防止剤が単体で存在するため、粘度は初期値から１．３ｍＰａ・ｓ減少する。分離・凝集により、沈降している。
実施例１〜２は、液体噴射用ヘッドに容易に充填可能である。また、４５℃で１ヶ月間保存後しても、粘度の変化量は初期値から±０．３ｍＰａ・ｓ以内であり、高い安定性を示す。
【００５４】
一方、比較例１は酸化防止剤を包接するサイクロデキストリンを含有していないため、液体噴射用ヘッドへの充填性が悪く、吐出不良を招いてしまう。また、比較例２は、酸化防止剤が単体で添加されているために、水に難溶な酸化防止剤（例えばα−トコフェロール）では経時によって分離しやすい。例えば４５℃で１ヶ月間保存した場合では、１．３ｍＰａ・ｓ粘度が減少することが確認された。さらに、比較例３と４は、酸化防止剤を包接するサイクロデキストリンを含有するが、粘度が所望の範囲を逸脱しており、液体噴射用液体として使用はできない。
【００５５】
以下、本発明の液体噴射用液体を使用する液体噴射ヘッド、および液体噴射ヘッドを搭載した液体噴射記録装置について図５を参照して説明する。
図５は、本実施形態の液体噴射記録装置の概略構成を示す斜視図である。図５に示すように、液体噴射記録装置１は、紙等の被記録媒体Ｓを搬送する一対の搬送手段２、３と、被記録媒体Ｓに液体を噴射する液体噴射ヘッド４と、液体噴射ヘッド４に液体を供給する液体供給手段５と、液体噴射ヘッド４を被記録媒体Ｓの搬送方向（主走査方向）と略直交する方向（副走査方向）に走査させる走査手段６とを備えている。また図示していないが、液体噴射記録装置１は搬送手段２、３、液体噴射ヘッド４、液体供給手段５、及び走査手段６などに対して制御信号を送受信して制御する制御部１００を備えている。以下、副走査方向をＸ方向、主走査方向をＹ方向、そしてＸ方向およびＹ方向にともに直交する方向をＺ方向として説明する。
【００５６】
一対の搬送手段２、３は、それぞれ副走査方向に延びて設けられたグリッドローラ２０、３０と、グリッドローラ２０、３０のそれぞれに平行に延びるピンチローラ２１、３１と、詳細は図示しないがグリッドローラ２０、３０を軸回りに回転動作させるモータ等の駆動機構とを備えている。
【００５７】
液体供給手段５は、液体噴射用液体が収容された液体収容体５０と、液体収容体５０と液体噴射ヘッド４とを接続する液体供給管５１とを備えている。液体収容体５０は、複数備えられており、具体的には、イエロー、マゼンタ、シアン、ブラックの４種類の液体噴射用液体が収容された液体タンク５０Ｙ、５０Ｍ、５０Ｃ、５０Ｂが並べて設けられている。液体タンク５０Ｙ、５０Ｍ、５０Ｃ、５０Ｂのそれぞれには図示しないポンプモーターＭが設けられており、液体を液体供給管を通じて液体噴射ヘッド４へ押圧移動できる。液体供給管５１は、液体噴射ヘッド４（キャリッジユニット６２）の動作に対応可能な可撓性を有するフレキシブルホースからなる。
【００５８】
走査手段６は、副走査方向（Ｘ方向）に延びて設けられた一対のガイドレール６０、６１と、一対のガイドレール６０、６１に沿って摺動可能なキャリッジユニット６２と、キャリッジユニット６２を副走査方向に移動させる駆動機構６３と、を備えている。駆動機構６３は、一対のガイドレール６０、６１の間に配置された一対のプーリ６４、６５と、一対のプーリ６４、６５間に巻回された無端ベルト６６と、一方のプーリ６４を回転駆動させる駆動モータ６７とを備えている。
【００５９】
一対のプーリ６４、６５は、一対のガイドレール６０、６１の両端部間にそれぞれ配置されており、副走査方向に間隔をあけて配置されている。無端ベルト６６は一対のガイドレール６０、６１間に配置されており、この無端ベルトにはキャリッジユニット６２が連結されている。キャリッジユニット６２の基端部６２ａには複数の液体噴射ヘッド４が搭載されており、具体的には、イエロー、マゼンタ、シアン、ブラックの４種類の液体噴射用液体に個別に対応する液体噴射ヘッド４Ｙ、４Ｍ、４Ｃ、４Ｂが副走査方向に並んで搭載されている。
【００６０】
液体噴射ヘッド４は、圧電素子によって形成された不図示のアクチュエータープレートと、当該アクチュエータープレートに液体を供給する液体室が形成された不図示の液体室プレートとによって構成されている。
【００６１】
液体噴射記録装置１のキャリッジユニット６２には、液体噴射ヘッド４が、長手方向（Ｙ方向）を主走査方向に一致させ、短手方向（Ｘ方向）を副走査方向に一致させて搭載されている。またキャリッジユニット６２には、複数の液体噴射ヘッド４がＸ方向に並んで搭載されている。そして、被記録媒体ＳをＹ方向に搬送し、キャリッジユニット６２をＸ方向に移動させつつ、液体噴射ヘッド４から液体噴射用液体を噴射することで、被記録媒体に記録を行うようになっている。
【符号の説明】
【００６２】
１  液体噴射記録装置
２  搬送手段
４、４Ｃ、４Ｙ、４Ｍ、４Ｂ  液体噴射ヘッド
Ｓ  被記録媒体
１３  ノズル
４１  ヘッドチップ
４３  制御部
４５  回路基板
【図１】
2015059183.tif 000003
【図２】
2015059183.tif 000004
【図３】
2015059183.tif 000005
【図４】
2015059183.tif 000006
【図５】
2015059183.tif 000007